(57)【要約】      （修正有）【課題】立体イメージ写真を全自動で作成できる立体イメージ作成装置を提供する。【解決手段】レンチキュラーレンズ保存槽１０１は、多数のレンチキュラーレンズ２０を保存し、撮影装置１０２は被写体３０を対応する物件イメージに撮影し、イメージ処理ユニット１０３は物件イメージ中から、被写体３０を取り出し、前景イメージに処理し、及び前景イメージと背景イメージとを合成し、合成立体イメージに処理し、レンチキュラーレンズ輸送ユニット１０４はレンチキュラーレンズ保存槽１０１内のレンチキュラーレンズ２０を印刷装置１０６へと移し、メモリユニット１０５は少なくとも１枚以上の背景イメージを保存し、印刷装置１０６は合成立体イメージを、レンチキュラーレンズ２０の平坦面上に印刷し、コントロールユニット１０７は各ユニットをコントロールする。【選択図】図１
0003182333.tif 000002
【実用新案登録請求の範囲】
【請求項１】
立体イメージ作成装置は、レンチキュラーレンズ保存槽、撮影装置、イメージ処理ユニット、メモリユニット、印刷装置、レンチキュラーレンズ輸送ユニット、コントロールユニットを備え、
前記レンチキュラーレンズ保存槽は、少なくとも１枚以上のレンチキュラーレンズを保存することができ、前記レンチキュラーレンズは、平坦面、及び前記平坦面に相対した面にレンチキュラー構造面を備え、
前記撮影装置は被写体を対応する物件イメージに撮影し、
前記イメージ処理ユニットは、前記物件イメージ中から、前記被写体を取り出し、前景イメージに処理し、及び前記前景イメージと背景イメージとを合成し、合成立体イメージに処理し、
前記メモリユニットは、少なくとも１枚以上の背景イメージを保存し、
前記印刷装置は、前記合成立体イメージを、前記レンチキュラーレンズの平坦面上に印刷し、
前記レンチキュラーレンズ輸送ユニットは、前記レンチキュラーレンズ保存槽内のレンチキュラーレンズを前記印刷装置へと移し、少なくとも取得装置、移動装置を備え、
前記取得装置は、前記レンチキュラーレンズ保存槽内に位置するレンチキュラーレンズを取り上げ、
前記移動装置は、前記取得装置を移動させ、これにより前記取得装置が取り上げたレンチキュラーレンズは、前記印刷装置上へと移され、
前記コントロールユニットは、前記撮影装置、前記イメージ処理ユニット、前記レンチキュラーレンズ輸送ユニット、前記メモリユニット、前記印刷装置をコントロールすることを特徴とする立体イメージ作成装置。
【請求項２】
前記立体イメージ作成装置はさらに、表示スクリーンを備え、前記表示スクリーンは、前記コントロールユニットに電気的に連接し、操作画面を表示することを特徴とする請求項１に記載の立体イメージ作成装置。
【請求項３】
前記取得装置は、少なくとも真空吸引ノズル、真空バルブ、ポンプを備えることを特徴とする請求項１に記載の立体イメージ作成装置。
【請求項４】
前記印刷装置は、熱転写プリンターであることを特徴とする請求項１に記載の立体イメージ作成装置。
【請求項５】
前記撮影装置は、デジカメ、或いは他のCMOSセンサー或いはCCDセンサーを備えるイメージ取り込み装置であることを特徴とする請求項１に記載の立体イメージ作成装置。
【請求項６】
前記移動装置はさらに、前記取得装置の移動に用いられ、これにより、前記取得装置は、前記印刷装置上に位置する既に印刷が完成したレンチキュラーレンズを取り上げることを特徴とする請求項１に記載の立体イメージ作成装置。
【考案の詳細な説明】
【技術分野】
【０００１】
本考案は立体イメージ作成装置に係わり、立体写真を生産することができる立体イメージ作成装置に関する。
【背景技術】
【０００２】
特許文献１に開示する「フォトステッカー(プリクラ)販売機及びその方法、フォトステッカー及びフォトステッカーユニット(Photo Sticker Vending Machine And Method、Photo Sticker And Photo Sticker Unit)」は、フォトステッカー販売機を示し、フォトステッカー(プリクラ)を印刷することができる。しかし特許文献１は、立体イメージフォトステッカーを印刷する機能を備えないため理想的とはいえない。
【０００３】
従来のフォトステッカー作成装置の多くは、小さなサイズのプリクラを作成するために用いられていた。そのため大きなサイズのプリクラ作成、特に大きなサイズの立体イメージプリクラ作成に関しては、能力が不足であった。
【０００４】
本考案は、従来のフォトステッカー作成装置の上記した欠点に鑑みてなされたものである。
【先行技術文献】
【特許文献】
【０００５】
【特許文献１】米国特許第US2004/0114193A1号
【考案の概要】
【考案が解決しようとする課題】
【０００６】
本考案が解決しようとする課題は、立体イメージ写真を全自動で作成することができる立体イメージ作成装置を提供することである。
【課題を解決するための手段】
【０００７】
上記課題を解決するため、本考案は下記の立体イメージ作成装置を提供する。立体イメージ作成装置は、レンチキュラーレンズ保存槽、撮影装置、イメージ処理ユニット、メモリユニット、印刷装置、レンチキュラーレンズ輸送ユニット、コントロールユニットを備える。該レンチキュラーレンズ保存槽は、少なくとも１枚以上のレンチキュラーレンズを保存することができる。該レンチキュラーレンズは、平坦面、及び該平坦面に相対した面にレンチキュラー構造面を備える。該撮影装置は、被写体を対応する物件イメージに撮影し、該イメージ処理ユニットは該物件イメージ中から該被写体を取り出して前景イメージへと処理する。続いて該前景イメージと背景イメージとを合成し、合成立体イメージに処理する。該メモリユニットは、少なくとも１枚以上の背景イメージを保存する。該印刷装置は該合成立体イメージを、該レンチキュラーレンズの平坦面上に印刷する。該レンチキュラーレンズ輸送ユニットは、該レンチキュラーレンズ保存槽内のレンチキュラーレンズを該印刷装置へと移すことができ、少なくとも取得装置と移動装置を備える。該取得装置は、該レンチキュラーレンズ保存槽内のレンチキュラーレンズを取り上げ、該移動装置は該取得装置を移動させ、これにより該取得装置が取り上げたレンチキュラーレンズは、該印刷装置上へと移される。該コントロールユニットは、該撮影装置、該イメージ処理ユニット、該レンチキュラーレンズ輸送ユニット、該メモリユニット、該印刷装置をコントロールする。
【考案の効果】
【０００８】
本考案の立体イメージ作成装置は、立体イメージ写真を全自動で作成することができる。
【図面の簡単な説明】
【０００９】
【図１】本考案立体イメージ作成装置の構造図である。
【図２】本考案立体イメージ作成装置がレンチキュラーレンズを取り上げる様子を示す模式図である。
【図３】本考案立体イメージ作成装置が取り上げたレンチキュラーレンズを印刷装置上に置く様子を示す模式図である。
【図４】本考案において、合成立体イメージ印刷前のレンチキュラーレンズの立体構造図である。
【図５】本考案において、合成立体イメージ印刷前のレンチキュラーレンズの反対面からの立体構造図である。
【図６】本考案イメージ処理ユニットが得た合成立体イメージの範例である。
【図７】本考案立体イメージ作成装置を通して印刷された合成立体イメージを備えるレンチキュラーレンズの側面構造図である。
【考案を実施するための形態】
【００１０】
以下に図面を参照しながら本考案を実施するための最良の形態について詳細に説明する。
【実施例】
【００１１】
図１〜５に示すように、本考案立体イメージ作成装置１０は、立体写真作成の機能を備え、立体イメージ作成装置１０の具体的実施例は、立体フォトステッカー作成機などである。
図４、５に示すように、本考案はレンチキュラーレンズ２０を利用し、立体イメージ作成の効果を備え、立体写真を作成することができる。
レンチキュラーレンズ２０のレンチキュラー構造面２０１は、連続した半円形柱状のレンズを備える。レンチキュラーレンズ２０の反対面は、平坦面２０３である。
本考案立体イメージ作成装置１０は、レンチキュラーレンズ保存槽１０１、撮影装置１０２、イメージ処理ユニット１０３、レンチキュラー輸送ユニット１０４、メモリユニット１０５、印刷装置１０６、コントロールユニット１０７を備える。
【００１２】
レンチキュラーレンズ保存槽１０１は、少なくとも１枚以上のレンチキュラーレンズ２０を保存することができる。レンチキュラーレンズ保存槽１０１は、開口を備える槽状構造を採用することができる。
【００１３】
撮影装置１０２は、被写体３０を対応する物件イメージに撮影する。撮影装置１０２は、デジカメ、或いは他のCMOSセンサー或いはCCDセンサーを備えるイメージ取り込み装置を例として採用することができる。被写体３０は、人物、物品、動物、植物などである。被写体３０を、撮影装置１０２の前方に位置させ、撮影を行う。撮影装置１０２は物件イメージを作成し、それをコントロールユニット１０７にアウトプットし、最後にイメージ処理ユニット１０３に伝送する。被写体３０を撮影したイメージ中から取り出す便のため、撮影シーンは単色調の色であることが好ましい。
【００１４】
図６に合わせて示すように、イメージ処理ユニット１０３は、物件イメージ中から被写体３０を取り出し、前景イメージ３０１に処理する機能を備える。イメージ処理ユニット１０３のもう一つの機能は、前景イメージ３０１と背景イメージ３０３とを合成し、合成立体イメージ３０aに処理することである。イメージ処理ユニット１０３は、メモリユニット１０５において、指定した背景イメージ３０３を取り出し/保存することができ、或いは非指定の背景イメージ３０３を取り出し/保存することができる。イメージ処理ユニット１０３は、イメージピックアップ機能、立体イメージ合成機能を備える。イメージピックアップ機能とは、物件イメージの背景部分を除去し、被写体３０のみを残してピックアップすることである。例えば、人物、物品、動物、或いは植物などの被写体３０(図６に示す人物など)をピックアップし、処理して、前景イメージ３０１とする。
【００１５】
立体イメージ合成機能は、前景イメージ３０１と背景イメージ３０３とを合成し、合成立体イメージ３０aに処理する。上記した立体イメージ合成機能とは、前景イメージ３０１と背景イメージ３０３とを、所定の被写界深度情報、レンチキュラーレンズ２０の基本パラメーター、印刷装置１０６の基本パラメーターなどに基づき処理し、立体イメージを合成するものである。立体イメージ合成の演算過程は、前景イメージ３０１と背景イメージ３０３の相対位置セット、ダウンスケーリング(Down-scaling)サンプリング、イメージ交差配列サンプリングなどを含む。最後にレンチキュラーレンズ２０への印刷に適した合成立体イメージ３０aを出力する。
【００１６】
イメージ処理ユニット１０３の具体的な実施例は、少なくともグラフィックチップを含む。イメージピックアップ機能と立体イメージ合成機能は、従来の関連技術を採用し、その具体的な手段は、従来のイメージ処理ソフト、或いは従来のイメージ処理ファームウエア、或いは従来のイメージ処理ハードウエアを採用する。
【００１７】
レンチキュラーレンズ輸送ユニット１０４の一項目機能は、レンチキュラーレンズ保存槽１０１槽内のレンチキュラーレンズ２０を印刷装置１０６へと移すことである。レンチキュラーレンズ輸送ユニット１０４は少なくとも、取得装置１０４１、移動装置１０４３を備える。取得装置１０４１は、レンチキュラーレンズ保存槽１０１槽内のレンチキュラーレンズ２０を取り上げる。取得装置１０４１の具体的な実施例は、少なくとも真空吸引ノズル１０４１a、真空バルブ(図示なし)、ポンプ(図示なし)を備える。
【００１８】
図２に示すように、移動装置１０４３は、取得装置１０４１をレンチキュラーレンズ２０保存槽１０１の槽内へと移動させる。真空吸引ノズル１０４１aが、レンチキュラーレンズ保存槽１０１槽内に位置する最も上面のレンチキュラーレンズ２０に接触すると、ポンプは真空吸引ノズル１０４１aとレンチキュラーレンズ２０間の空気を吸い出す。次にポンプと真空バルブのバルブを閉鎖する。こうして真空吸引ノズル１０４１aは、レンチキュラーレンズ２０を吸着する。続いて図３に示すように移動装置１０４３は、取得装置１０４１を印刷装置１０６の入力端１０６aへと移動させる。次に真空バルブのバルブを開くと、真空吸引ノズル１０４１aは、レンチキュラーレンズ２０を放し、レンチキュラーレンズ２０は印刷装置１０６上へのセットが完了する。
【００１９】
さらに印刷装置１０６が印刷を完了すると、移動装置１０４３は、取得装置１０４１を印刷装置１０６の入力端１０６aへと移動させる。真空吸引ノズル１０４１aが、入力端１０６aに位置するレンチキュラーレンズ２０に接触すると、ポンプは真空吸引ノズル１０４１aとレンチキュラーレンズ２０間の空気を吸い出す。次にポンプと真空バルブのバルブを閉鎖する。続いて移動装置１０４３は取得装置１０４１を、所定位置(写真取り出し口など)へと移動し、レンチキュラーレンズ２０を放す。
【００２０】
メモリユニット１０５は、少なくとも１枚以上の背景イメージ３０３を保存することができる。背景イメージ３０３のイメージ内容は同一ではない。メモリユニット１０５の具体的な実施例は、メモリ、メモリカード、ハードディスクドライブ、或いは他のストレージデバイスである。背景イメージ３０３の作成は、モノレンズデジカメによりスライド撮影した異なる角度の多数のイメージ、或いはマルチレンズデジカメにより撮影した多数のイメージ、或いは１枚のイメージを２Ｄから３Ｄに転換するプログラムを経て得られた多数のイメージを利用することができる。イメージの枚数は見る人の視点(View)数を示す。
【００２１】
印刷装置１０６は合成立体イメージ３０aを、レンチキュラーレンズ２０の平坦面２０３上に印刷することができる。印刷装置１０６の具体的な実施例は、従来の熱転写プリンターなどである。印刷装置１０６の入力端１０６aの具体的な実施例はトレイなどである。
【００２２】
コントロールユニット１０７は撮影装置１０２、イメージ処理ユニット１０３、レンチキュラーレンズ輸送ユニット１０４、メモリユニット１０５、印刷装置１０６などをコントロールすることができる。これにより、立体イメージ作成装置１０は、全自動で図７に示すような立体イメージ写真を制作することができる。コントロールユニット１０７の具体的な実施例は、少なくともプロセッサー(Processor)及び特殊チップを備える。プロセッサーは、立体イメージ写真の全自動制作の全体のプロセスを執行し、特殊チップは特にレンチキュラーレンズ輸送ユニット１０４の作動プロセスを執行する。
【００２３】
図７に示すようにレンチキュラーレンズ２０に印刷された合成立体イメージ３０aは、レンチキュラー構造面２０１を通過後両眼４０に到達し、それぞれ右目と左目に視差イメージが生じる。これにより立体イメージの効果が発生する。
【００２４】
レンチキュラーレンズ２０は、従来のレンチキュラーレンズを採用することができる。
その材質は透明性が高い材質を用いるのが好ましい。本考案立体イメージ作成装置１０が大型の印刷装置１０６を採用する場合、レンチキュラーレンズ２０も大きなサイズのレンチキュラーレンズを採用することができ、これにより本考案は大きいサイズの立体イメージ写真を制作することができる。
【００２５】
本考案の立体イメージ作成装置１０はさらに、表示スクリーン(図示なし)を備える。表示スクリーンはコントロールユニット１０７に電気的に連接し、操作画面を表示する。
【００２６】
本考案の立体イメージ作成装置１０は、全自動で立体イメージ写真を制作することができ、レンチキュラーレンズ２０の平坦面２０３上に直接、合成立体イメージ３０aを印刷することができる。このように本考案は顕著な機能の増進という効果を備える。
【００２７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２８】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２９】
１０        立体イメージ作成装置
２０        レンチキュラーレンズ
３０        被写体
３０a       合成立体イメージ
３０１      前景イメージ
３０３      背景イメージ
４０        両眼
１０１      レンチキュラーレンズ保存槽
１０２      撮影装置
１０３      イメージ処理ユニット
１０４      レンチキュラーレンズ輸送ユニット
１０５      メモリユニット
１０６      印刷装置
１０６a     入力端
１０７      コントロールユニット
２０１      レンチキュラー構造面
２０３      平坦面
１０４１    取得装置
１０４３    移動装置
１０４１a   真空吸引ノズル
【図１】
0003182333.tif 000003
【図２】
0003182333.tif 000004
【図３】
0003182333.tif 000005
【図４】
0003182333.tif 000006
【図５】
0003182333.tif 000007
【図６】
0003182333.tif 000008
【図７】
0003182333.tif 000009